(57)【要約】【課題】  開封を容易に行うことができ、携行時等に被収容物が破損してしまうのを防止することができる包装体を提供することを課題とする。【解決手段】  シートを折曲加工して形成された外装体１と、複数の被収容物Ａを収容すべく、可撓性を有するフィルムから袋状に形成された内袋２とで構成され、前記外装体２は、少なくとも一端が開口した筒状の胴部１０と、該胴部１０の一端開口縁部を基端にして延設され、胴部１０側に折り返し可能な蓋片１１とで構成されるとともに、蓋片１１を折り返し状態で保持する保持手段１２を備えてなり、前記内袋２は、被収容物Ａを収容する一端側が、前記胴部１０に収容された状態で、他端側が前記基端よりも外側に延出し、且つ前記胴部１０の一端開口縁部の近傍に開封手段が設けられてなることを特徴とする。【選択図】図１
2005212808.tif 000002
【特許請求の範囲】
【請求項１】
シートを折曲加工して形成された外装体と、複数の被収容物を収容すべく、可撓性を有するフィルムから袋状に形成された内袋とで構成され、前記外装体は、少なくとも一端が開口した筒状の胴部と、該胴部の一端開口縁部を基端にして延設され、胴部側に折り返し可能な蓋片とで構成されるとともに、蓋片を折り返し状態で保持する保持手段を備えてなり、前記内袋は、被収容物を収容する一端側が、前記胴部に収容された状態で、他端側が前記基端よりも外側に延出し、且つ前記胴部の一端開口縁部の近傍に開封手段が設けられてなることを特徴とする包装体。
【請求項２】
前記胴部は、両側端同士が接続されて互いに対向する一対のシート壁部によって扁平状に形成され、前記蓋片が何れか一方のシート壁部の一端を基端にして延設されてなる請求項１記載の包装体。
【請求項３】
前記一対のシート壁部の両側端近傍で、且つ該胴部の一端開口縁部近傍の一部の領域と、胴部に内装された内袋の一部の領域とが貼着されてなる請求項２記載の包装体。
【請求項４】
前記一対のシート壁部の一部の領域と、前記内袋の一部の領域とが一体的に溶着され、前記一対のシート壁部の何れか一方には、前記一対のシート壁部の一部と内袋の一部とを溶着させた溶着領域を挟んで胴部の周方向に延びる一対の切込部が形成されてなる請求項３記載の包装体。
【請求項５】
前記外装体は、何れか一方のシート壁部の他端を基端にして延設されて胴部内に折り返され、胴部内での内袋の位置決めをする位置決片を備えてなる請求項２乃至４の何れかに記載の包装体。
【請求項６】
前記位置決片の一部の領域と、該位置決片が延設された一方のシート壁部の一部の領域と、該シート壁部と位置決片との間に介在する内袋の一部の領域とが一体的に溶着されてなる請求項５記載の包装体。
【発明の詳細な説明】
【技術分野】
【０００１】
本発明は、食品や薬品等の粒状をなす複数の被収容物を包装する包装体に関する。
【背景技術】
【０００２】
インジェクション成型により成形されたプラスチック容器や、スクリューキャップ付きのガラス瓶等の容器は、開封が容易で被収容物を保護するのに最適であるとして、粒状の食品（例えば、粒状の菓子（ガム、飴等））や、錠剤の医薬品、錠剤の健康補助食品（サプリメント）等の複数の被収容物を収容するのに採用されている。
【発明の開示】
【発明が解決しようとする課題】
【０００３】
ところで、前記容器に被収容物を収容して携行すると、該被収容物が容器の内部で自由に移動して容器の壁部や底等に衝突することがある。そうすると、前記容器の壁部や底部は剛性を有するため、被収容物が容器の壁部や底に衝突した際に破損してしまうといった問題があった。
【０００４】
このような問題を解決する方法として、被収容物を可撓性を有する袋に収容し、被収容物に直接作用する衝撃を抑えて被収容物の破損を防止することも考えられるが、このように被収容物を袋に収容すると、該袋が可撓性を有することから、袋に外力が作用した際に、該外力が被収容物にまで影響を及ぼし、被収容物が破損してしまうことがある。
【０００５】
そこで、本発明は、斯かる実情に鑑み、開封を容易に行うことができ、携行時等に被収容物が破損してしまうのを防止することができる包装体を提供することを課題とする。
【課題を解決するための手段】
【０００６】
本発明にかかる包装体は、シートを折曲加工して形成された外装体と、複数の被収容物を収容すべく、可撓性を有するフィルムから袋状に形成された内袋とで構成され、前記外装体は、少なくとも一端が開口した筒状の胴部と、該胴部の一端開口縁部を基端にして延設され、胴部側に折り返し可能な蓋片とで構成されるとともに、蓋片を折り返し状態で保持する保持手段を備えてなり、前記内袋は、被収容物を収容する一端側が、前記胴部に収容された状態で、他端側が前記基端よりも外側に延出し、且つ前記胴部の一端開口縁部の近傍に開封手段が設けられてなることを特徴とする。
【０００７】
上記包装体によれば、被収容物を収容する内袋が可撓性を有するフィルムから形成されているので、収容された被収容物が内袋の内部で移動して当該内袋に衝突しても、該被収容物に加わる衝撃が極めて小さく、被収容物の破損を防止することができる。また、該包装体は、内袋がシートを折曲加工して形成された外装体に内装されているので、該包装体に外力が加わっても外装体によって吸収されて被収容物に直接影響せず、被収容物を外部からの衝撃等からも保護することができる。
【０００８】
また、内袋には、外装体（胴部）の一端開口縁部の近傍に開封手段が設けられているので、該開封手段を介して内袋を開封すると、該内袋は、胴部の一端開口縁に沿って引き裂かれることになる。つまり、胴部の一端開口縁が定規として機能することになり、内袋が無造作に引き裂かれるのを防止することができる。これにより、開封された内袋の開封口は、真っ直ぐな状態で開封されることになり、被収容物の取り出しを容易に行うことができる。
【０００９】
したがって、内袋が未開封状態にある場合には、蓋片を胴部側に折り返した際に、内袋の他端側も胴部の一端開口縁を支点にして折り返された状態となり、開封手段を介して内袋を開封した場合には、内袋の開封口が胴部の一端開口縁部に略沿って形成されるので、蓋片を胴部側に折り返し、保持手段で蓋片をその姿勢で維持させれば、内袋の開封口が蓋片によって閉塞された状態となり、内袋から被収容物が脱落するような態様になるのを防止することができる。
【００１０】
本発明の一態様として、前記胴部は、両側端同士が接続されて互いに対向する一対のシート壁部によって扁平状に形成され、前記蓋片が何れか一方のシート壁部の一端を基端にして延設されてもよい。このようにすれば、通常の状態で胴部が扁平状態をなすため、胴部の一端開口が大きく開いておらず、内袋を開封手段を介してを開封しても被収容物が不用意にこぼれ落ちるといった事態になるのを防止することができる。この場合、前記一対のシート壁部の両側端近傍で、且つ該胴部の一端開口縁部近傍の一部の領域と、胴部に内装された内袋の一部の領域とが貼着されることが好ましい。このようにすれば、内袋が胴部から不用意に脱落するのを防止することができる。
【００１１】
具体的には、前記一対のシート壁部の一部の領域と、前記内袋の一部の領域とが一体的に溶着され、前記一対のシート壁部の何れか一方には、前記一対のシート壁部の一部と内袋の一部とを溶着させた溶着領域を挟んで胴部の周方向に延びる一対の切込部が形成されることが好ましい。このようにすれば、胴部（一対のシート壁部）の一部と内袋の一部とが一体的になっており、胴部からの内袋の脱落を確実に防止することができる。このように胴部と内袋とを溶着すれば、胴部に径方向の外力を加えても溶着領域が変形しないため、扁平状にある胴部の一端開口が開きにくくなるが、上述の如く、前記一対のシート壁部の何れか一方に、溶着領域を挟んで胴部の周方向に延びる一対の切込部を形成することで、胴部の一端開口が開き易くなる。つまり、一対の切込部を設けると、胴部に径方向の外力を加えた際に、切込部を境にして溶着領域がある一対の切込部間と、他の部分とが異なった変形をするので、シート壁部と内袋とを一体的に溶着しても、胴部全体における径方向の変形に影響がなく、胴部の一端開口の開度を容易に大きくすることができる。
【００１２】
また、前記外装体は、何れか一方のシート壁部の他端を基端にして延設されて胴部内に折り返され、胴部内での内袋の位置決めをする位置決片を備えてもよい。このようにすれば、位置決片が延設された一方のシート壁部と位置決片との間に、内袋の一端部が介在するように内袋を胴部内に内装（収容）すると、該内袋の一端部が位置決片に接触することになる。したがって、製造工程において内袋を胴部に挿入するだけで、内袋を胴部に対して容易に位置決めすることができる。また、前記位置決片の存在によって、被収容物を収容した内袋の一端が胴部の他端と一致した態様にならない、すなわち、内袋の一端が胴部の他端（シート壁部の他端）よりも内部側に位置するように位置決めされることになるため、一対のシート壁部の他端側の角部に丸み等をつけて尖りを落としても、内袋の一端の角部が外装体（胴部の他端）から突出してしまうのを防止することができ、見栄えのよい包装体を提供することができる。
【００１３】
この場合、前記位置決片の一部の領域と、該位置決片が延設された何れか一方のシート壁部の一部の領域と、該シート壁部と位置決片との間に介在する内袋の一部の領域とが一体的に溶着されてもよい。このようにすれば、内袋を胴部内で位置決めした状態で、該内袋の移動を確実に規制することができる。
【発明の効果】
【００１４】
以上のように、本発明にかかる包装体によれば、開封を容易に行うことができ、携行時等に被収容物が破損するのを防止することができるという優れた効果を奏し得る。
【発明を実施するための最良の形態】
【００１５】
以下、本発明にかかる包装体の第一実施形態について、添付図面を参照しつつ説明する。本実施形態にかかる包装体は、図１、及び図２に示す如く、外装体１と、外装体１に内装され、複数の被収容物Ａ（例えば、粒状の食品（例えば、粒状の菓子（ガム、飴等））、錠剤の医薬品、錠剤の健康補助食品（サプリメント）等）を収容する内袋２とで構成されている。
【００１６】
前記外装体１は、内袋２を収容（内装）する筒状の胴部１０と、該胴部１０の一端開口縁部に延設され、前記胴部１０の一端開口を閉塞するように折り返される蓋片１１とで構成されており、前記胴部１０、及び蓋片１１には、蓋片１１を折り返した姿勢で保持させる保持手段１２が設けられている。さらに、本実施形態にかかる外装体１は、胴部１０の他端開口縁部に延設されて胴部１０内に折り返され、胴部１０内での内袋２の位置決めをする位置決片１３が延設されている。
【００１７】
前記胴部１０は、平面視略矩形状の一対のシート壁部１０ａ，１０ｂの両側端同士が接続されて形成されている。これにより、胴部１０は、両端が開口した扁平筒状（径方向に扁平な筒状）に形成されている。
【００１８】
前記一対のシート壁部１０ａ，１０ｂは、胴部１０の一端部であって、一対のシート壁部１０ａ，１０ｂの両側端近傍で、且つ一端近傍の一部の領域が、内装された内袋２の一部の領域に対して貼着されている。具体的には、一対のシート壁部１０ａ，１０ｂの一端側の両角部における一部の領域と、胴部１０に内装した内袋２の両側端部における一部の領域とが超音波シールによって溶着され、当該包装体には、それぞれが溶け込んだ溶着領域Ｐ（図１に示す円形の領域）が形成されている。
【００１９】
前記蓋片１１は、前記一対のシート壁部１０ａ，１０ｂのうちの一方のシート壁部１０ａの一端を基端にして延設されており、該基端（後述する第五罫線Ｌ５）で胴部１０の開口側に折り返すことで、該胴部１０の開口を閉塞できるようになっている。
【００２０】
前記位置決片１３は、他方のシート壁部１０ｂの他端を基端にして延設されており、該位置決片１３は、胴部１０内に折り返された態様をなしている。該位置決片１３は、胴部１０内に折り返された状態で、先端が一方のシート壁部１０ａの内面（胴部１０の内面）に干渉し、胴部１０内から抜け出るのを防止できる延出量に設定されている。
【００２１】
前記保持手段１２は、前記蓋片１１の先端から延出した係止片１２ａと、胴部１０（他方のシート壁部１０ｂ）に設けられた切込部１２ｂとで構成されており、係止片１２ａを切込部１２ｂに差し込むことで、蓋片１１を折り返した姿勢で保持できるようになっている。
【００２２】
該外装体１は、蓋片１１の折り返し線（第五罫線Ｌ５）上から延出した陳列用の吊下片１５を備えている。吊下片１５には係止穴１５ａが穿設されており、該係止穴１５ａに陳列台等に設けられたバーを挿通させることで当該包装体を吊り下げた態様で陳列できるようになっている。
【００２３】
本実施形態にかかる外装体は、例えば、厚さ０．１５ｍｍ〜０．５ｍｍ程度のポリプロピレン、又は、ポリエチレンテレフタレート（ＰＥＴ）等からなる所定形状に裁断したプラスチック製のシート（以下、このシートを原シートという）を折曲加工することにより形成されている。
【００２４】
図３に基づき該原シートについて詳しく説明すると、原シートＳは、略矩形状に形成されて短手方向の一端同士が接続され、前記一対のシート壁部１０ａ、１０ｂとなる一対の壁形成領域１６ａ，１６ｂと、一方の壁形成領域１６ａの短手方向の他端に延設され、一対の壁形成領域１６ａ，１６ｂ同士を連結する貼着領域１７と、一方の壁形成領域１６ａの長手方向の一端に延設され、前記蓋片１１となる蓋形成領域１８と、他方の壁形成領域１６ｂの長手方向の他端に延設され、前記位置決片１３となる位置決片形成領域１９とで構成されている。前記一対の壁形成領域１６ａ，１６ｂの境界には、これらが互いに対向するように折り返すための折曲罫線Ｌ１（以下、この折曲罫線を第一罫線という）が設けられている。なお、前記第一罫線Ｌ１、及び以下に説明する折曲罫線Ｌ２〜Ｌ５は、極細の溝で構成されており、他の部分よりも厚みが薄くなるように構成されている。具体的には、シートの折曲性と強度を鑑みれば、折曲罫線Ｌ１〜Ｌ５のそれぞれに特開平１０−１９３４５０号公報所載の折曲罫線を採用することが好ましい。
【００２５】
前記他方の壁形成領域１６ｂには、前記保持手段１２の切込部１２ｂとなる切り込み２６が設けられている。該切り込み２６は、他方の壁形成領域１６ｂの一端から前記蓋片１１の延出量（一方の壁形成領域１６ａの一端からの後述する第一蓋形成領域１８ａの延出量、又は第一蓋形成領域１８ａからの後述する第二蓋形成領域１８ｂの延出量）よりもやや長い距離をおいた位置に、当該他方の壁形成領域１６ｂの短手方向に延びるように形成されている。なお、該切り込み２６の両端部は、前記係止片１２ａの抜き差しに伴って他方の壁形成領域１６ｂ（他方のシート壁部１０ｂ）が裂けるのを防止すべく、略半円弧状に切り込まれている。
【００２６】
前記一対の壁形成領域１６ａ，１６ｂは、長手方向の一端部であって短手方向の両端部が、内袋２に貼着（溶着）させる被溶着領域Ｐ’に設定されている。なお、本実施形態において被溶着領域Ｐ’の配置を説明するのに、図３において概念的に示しており、実際には被溶着領域Ｐ’と他の領域との境に罫線等は設けられていない。
【００２７】
前記一方の壁形成領域１６ａと貼着領域１７との境界、及び他方の壁形成領域１６ｂと位置決片形成領域１９との境界には、各領域１６ａ，１７，１６ｂ，１９を折り返すための折曲罫線Ｌ２，Ｌ３が設けられている。（以下、一方の壁形成領域１６ａと貼着領域１７との境界の折曲罫線Ｌ２を第二罫線といい、他方の壁形成領域１６ｂと位置決片形成領域１９との境界の折曲罫線Ｌ３を第三罫線という）。
【００２８】
前記蓋形成領域１８は、前記一方の壁形成領域１６ａに接続された第一蓋形成領域１８ａと、該第一蓋形成領域１８ａの先端に接続された第二蓋形成領域１８ｂとで構成されている。前記第一蓋形成領域１８ａ及び第二蓋形成領域１８ｂは、平面形状において略対称に形成されており、第一蓋形成領域１８ａと第二蓋形成領域１８ｂとの境界には、折曲罫線Ｌ４（以下、この折曲罫線を第四罫線という）が設けられている。これにより、第一蓋形成領域１８ａ、及び第二蓋形成領域１８ｂは、第四罫線Ｌ４で折り返して互いに対向できるようになっている。前記第二蓋形成領域１８ｂの先端には、前記吊下片１５となる吊下片形成領域２０が延設されている。該吊下片形成領域２０内には、前記係止穴１５ａとなる穴２０ａが穿設されている。
【００２９】
該蓋形成領域１８（第一蓋形成領域１８ａ）と一方の壁形成領域１６ａとの境界には、折曲罫線Ｌ５（以下、この折曲罫線を第五罫線という）が設けられており、該蓋形成領域１８で蓋片１１を形成した際に、該蓋片１１を第五罫線Ｌ５で折り返せるようになっている。前記第五罫線Ｌ５上には、第二蓋形成領域１８ｂを第四罫線Ｌ４で折り返した状態で、吊下片形成領域２０（吊下片１５）を差し込むための切り込み２２が設けられている。
【００３０】
前記第二蓋形成領域１８ｂは、前記係止片１２ａとなる係止片形成領域２１を含んでいる。具体的に説明すると、第二蓋形成領域１８ｂには、第四罫線Ｌ４上に始点、及び終点を形成するように、略Ｕ字状の切り込み２３が設けられており、前記係止片形成領域２１は、該切り込み２３で包囲された領域により構成されている。
【００３１】
前記外装体１は、原シートＳを第一罫線Ｌ１及び第二罫線Ｌ２で折り返した状態で、貼着領域１７と他方の壁形成領域１６ｂの短手方向の他端部とを接着剤、ヒートシール、又は超音波シール等の貼着手段を介して貼着することで、胴部１０が扁平な筒状に形成されている。また、外装体１は、原シートＳを第四罫線Ｌ４で折り返して吊下片形成領域２０を第五罫線Ｌ５上の切り込み２２に差し込むことで蓋片１１、及び吊下片１５が形成されている。さらに、外装体１は、原シートＳが第三罫線Ｌ３で折り返され、位置決片形成領域１９が胴部１０内に差し込まれた態様となって前記位置決片１３を構成をしている。
【００３２】
前記内袋２は、可撓性を有するフィルムから開封可能な袋体に形成されたものであり、図４に示す如く、互いに対向する一対の壁フィルム３０ａ，３０ｂの外周端部同士が連結されて形成されている。具体的には、本実施形態にかかる内袋２は、平面視略矩形上に形状設定された一対の壁フィルム３０ａ，３０ｂを重ね合わせた状態で、まず、長手方向の一端部、及び短手方向の両端部同士が直接熱シールされ、他端が開口した袋体に形成され、該他端開口を介してサプリメント等の複数の被収容物Ａを収容した後に、一対の壁フィルム３０ａ，３０ｂの長手方向の他端部同士が熱シールされて密閉状態に形成されている。なお、図４においてハッチングが付された領域Ｂが熱シールされた領域である。
【００３３】
したがって、このように作製された内袋２は、壁フィルム３０ａ，３０ｂの平面視形状に略対応して略矩形状をなしている。該内袋２は、長手方向の長さが前記胴部１０の中心線方向（シート壁部１０ａ，１０ｂ）の長さよりもやや長く設定されており、一端側を外装体１の胴部１０内に内装させた（収容した）状態で、他端側が胴部１０の一端開口縁部よりも外側に延出するようになっている。
【００３４】
一対の壁フィルム３０ａ，３０ｂ（内袋２を構成するフィルム）は、ガスバリア性を有する積層フィルムで構成されている。該積層フィルムとしては、外側層、中間層、及び内側層が積層されたものを採用することが好ましい。この場合、外側層としては、延伸ポリエチレンテレフタレート、延伸ナイロンフィルム、延伸ポリプロピレン（ＯＰＰ）フィルム等が挙げられる。また、中間層としては、ガスバリア性を有するアルミ層、又は、ＥＶＯＨ（エチレンービニルアルコール共重合体）層等からなるフィルムが挙げられ、内側層として、ヒートシール性を有する未延伸ポリプロピレン（ＣＰＰ）、又は、ポリエチレン系樹脂（ＬＤＰＥ等）のフィルムが挙げられる。また、防湿性のみが必要な場合には、ＯＰＰとＣＰＰやＬＤＰＥ等との積層フィルムを採用することもできる。
【００３５】
該内袋２は、胴部１０に内装した状態で、該胴部１０の一端開口縁部近傍となる短手方向の一端部（一対の壁フィルム３０ａ，３０ｂ同士を熱シールした領域）に開封手段としてのノッチ３１が設けられている。本実施形態において、ノッチ３１は、内袋２の短手方向の一端部の一部が略Ｖ字型に切り欠かれることにより形成されている。
【００３６】
上記構成の内袋２は、一端側が胴部１０に内装された状態で、長手方向の一端部が胴部１０内に折り返された位置決片１３によって位置決めされた態様になっており、この状態で、上述の如く、一対のシート壁部１０ａ，１０ｂになった壁形成領域１６ａ，１６ｂの一端側の両角部における被溶着領域Ｐ’に対し、短手方向の両端部の一部の領域Ｐ’’（本実施形態においては熱シールされた一部の領域）が一体的に溶着されている。この溶着により、当該包装体の胴部１０の一端部には、一対の溶着領域Ｐ（図１参照）が形成され、胴部１０からの内袋２の抜け止めがなされている。
【００３７】
本実施形態にかかる包装体は、以上の構成からなり、蓋片１１を第五罫線Ｌ５で折り返し、切込部１２ｂに係止片１２ａを差し込んだ状態で商品として陳列されることになる。
【００３８】
該包装体は、図５に示す如く、陳列台Ｅに設けられたバーＲに吊り下げられた状態で陳列されたり、陳列台Ｅ上に自立した状態で陳列されたりすることになる。すなわち、上記構成の包装体は、上述の如く、係止穴１５ａが穿設された吊下片１５を備えているので、係止穴１５ａに陳列台ＥのバーＲを挿通することで吊り下げた態様で陳列される。また、該包装体は、胴部１０が一対のシート壁部１０ａ，１０ｂで構成されているので、内袋２に被収容物Ａが収容された状態で、一対のシート壁部１０ａ，１０ｂが互いに離間した態様となり、該包装体は自立した態様でも陳列されることになる。
【００３９】
そして、当該包装体が携行された場合、被収容物Ａが移動して内袋２に接触したとしても、当該内袋２は可撓性を有するため、当該接触によって被収容物Ａには衝撃力等が作用することがなく、被収容物Ａの破損が防止される。また、該包装体は、何らかの外力が作用しても、内袋２がシートを折曲加工して形成した外装体１に内装されているので、該包装体に加わった外力が吸収され、被収容物Ａの破損が防止される。
【００４０】
そして、被収容物Ａを取り出すべく、内袋２を開封するには、図６（イ）に示す如く、係止片１２ａを切込部１２ｂから抜いて蓋片１１を起立させた状態にし、ノッチ３１を介して内袋２を引き裂くことで行われる。すなわち、該包装体は、ノッチ３１が、胴部１０の一端開口縁部近傍に設けられているので、内袋２を開封するに際し、内袋２の他端部を胴部１０側に引っ張ることで、ノッチ３１が起因して内袋２が胴部１０の一端に沿って（胴部１０の一端縁が定規の役目を担い）引き裂かれることになる。これにより、図６（ロ）に示す如く、内袋２には、体裁のよい真っ直ぐな端縁によって扁平状の開封口Ｏが形成されることになる。
【００４１】
そして、図６（ハ）に示す如く、胴部１０の側端（一対のシート壁部１０ａ，１０ｂ同士の両側の接続部分）を把持し、胴部１０の径方向に外力を作用させると、扁平状態にあった胴部１０の一端が開口することになる。この際、胴部１０の変形に追従するように内袋２に形成された開封口Ｏも開いた状態になり、内袋２から完全な形状の被収容物Ａを取り出せることができる。
【００４２】
そして、図６（ニ）に示す如く、被収容物Ａを取り出した後、第五罫線Ｌ５で蓋片１１を折り返し、係止片１２ａを切込部１２ｂに差し込むことで、当該包装体が再封されることになる。一旦開封された包装体は、内袋２の開封口が胴部１０の一端開口縁部に沿って形成されているので、上述の如く再封された状態で、内袋２の開封口が蓋片１１と一方のシート壁部１０ａとの接続部分、及びその近傍の領域（第五罫線Ｌ５を含む所定の領域）により覆われた態様となっており、被収容物Ａのこぼれ落ちが確実に防止されることになる。
【００４３】
そして、内袋２内の被収容物Ａの量が減ると、一対のシート壁部１０ａ，１０ｂは、自己の弾性によって互いに接近しようとするが、当該包装体には、位置決片１３が設けられているため、一対のシート壁部１０ａ，１０ｂの接近が阻止されて胴部１０の他端部（下端部）が開口状態を維持され、開封後であっても当該包装体を自立させることができる。すなわち、前記位置決片１３は、原シートＳを折曲加工して形成されたものであるため、第三罫線Ｌ３の周辺に弾性力（位置決片１３が元の姿勢に戻ろうとする復元力）が作用し、図７に示す如く、位置決片１３が一方のシート壁部１０ａを他方のシート壁部１０ｂから離間させる方向に押圧することになり、内袋２内の被収容物Ａの収容量に関係なく胴部１０の下端部が開口状態で維持されることになる。これにより、開封後の包装体であっても自立させた状態で置くことができる。なお、図７において、蓋片１１と胴部１０との接続部分（第五罫線Ｌ５、及びその周辺）が円弧状に湾曲した態様となっているが、これは本実施形態にかかる包装体を説明すべくシート壁部１０ａ，１０ｂ等の厚みを強調して示したためであり、実際には第五罫線Ｌ５で折り返されるため、蓋片２と胴部１０との接続部分には稜線が形成された態様になっている。
【００４４】
以上のように、本実施形態にかかる包装体によれば、被収容物Ａを収容する内袋２を可撓性を有するフィルムで形成するとともに、シートを折曲加工して形成した外装体１に前記内袋２を内装するようにしたので、携行時に被収容物Ａが破損してしまうのを確実に防止することができる。
【００４５】
また、該包装体は、胴部１０の一端開口縁部近傍に内袋２を開封するノッチ３１を設けたので、内袋２を開封するに当たり、胴部１０の一端開口縁に沿って容易に開封することができる。また、このようにすることで、開封時に内袋２の引き裂き方向を一定方向にすることができ、開封後の内袋２の開封口Ｏを体裁よく形成することができる。
【００４６】
さらに、該包装体は、一対のシート壁部１０ａ，１０ｂの長手方向の一端部であって、短手方向の両端部の一部（被溶着領域Ｐ）同士を、内袋２の一部を介して貼着するようにしたので、内袋２が胴部１０から抜け出るのを防止することができる上に、胴部１０を変形させることで、開封後の内袋２の開封口を開口状態にすることができ、被収容物Ａを容易に取り出せる状態にすることができる。
【００４７】
さらに、該包装体は、位置決片１３が設けられているので、胴部１０内で内袋２の一端部側が無造作に移動したりすることなく位置することができる。また、該位置決片１３を設けることで、内袋２を胴部１０内に内装するに際し、内袋２の一端が胴部１０の他端にまで到達することがないので、一対のシート壁部１０ａ，１０ｂの他端部側の角部を丸くしても（角を落とした形状にしても）内袋２の一端側の角部が胴部１０から突出することがなく、見栄えをよくすることができる。
【００４８】
さらに、原シートＳを折曲加工して位置決片１３を形成するようにしたので、該包装体は、内袋２内における被収容物Ａの収容量に関係なく、胴部１０の下端部を開口状態にすることができ、陳列時や開封後の何れであっても当該包装体を自立させて置くことができる。その上、該包装体は、係止穴１５ａが穿設された吊下片１５を備えているので、吊り下げ状態で陳列することもできる。
【００４９】
次に、本発明にかかる包装体の第二実施形態について説明する。なお、以下の説明において、第一実施形態にかかる包装体の各構成と同一、又は同等の構成については、同一名称、及び同一符号を付すこととする。
【００５０】
本実施形態にかかる包装体は、図８及び図９に示す如く、第一実施形態と同様に、外装体５と、外装体１に内装され、複数の被収容物Ａ（例えば、粒状の食品（例えば、粒状の菓子（ガム、飴等））や、錠剤の医薬品、錠剤の健康補助食品（サプリメント）等）を収容する内袋２とで構成されている。
【００５１】
前記外装体１は、内袋２を収容する筒状の胴部１０と、該胴部１０の一端開口縁部に延設され、前記胴部１０の一端開口を閉塞するように折り返される蓋片１１とで構成されており、前記胴部１０、及び蓋片１１には、蓋片１１を折り返した姿勢で保持させる保持手段１２が設けられている。さらに、本実施形態にかかる外装体１は、胴部１０の他端開口縁部に延設されて胴部１０内に折り返され、胴部１０に内装した内袋２を位置決めする位置決片１３が延設されている。
【００５２】
前記胴部１０は、平面視略矩形状の一対のシート壁部１０ａ，１０ｂの両側端同士が接続されて形成されている。これにより、胴部１０は、両端が開口した扁平筒状（径方向に扁平な筒状）に形成されている。
【００５３】
前記一対のシート壁部１０ａ，１０ｂは、胴部１０の一端部であって、一対のシート壁部１０ａ，１０ｂの両側端近傍で、且つ一端近傍の一部の領域が、内装された内袋２の一部の領域に対して貼着されている。具体的には、一対のシート壁部１０ａ，１０ｂの一端側の両角部における一部の領域と、胴部１０に内装した内袋２の両側端部における一部の領域とが超音波シールによって溶着され、当該包装体にはそれぞれが溶け込んだ第一溶着領域Ｐ１（図８に示す円形の領域）が形成されている。また、位置決片１３（後述する舌片２２）の一部の領域と、他方のシート壁部１０ｂの他端部における一部の領域と、位置決片１３及び他方のシート壁部１０ｂ間に介在する内袋２の一端部における一部の領域とが、超音波シールによって溶着されており、当該包装体には、それぞれが溶け込んだ第二溶着領域Ｐ２（図８に示す矩形状の領域）が形成されている。
【００５４】
前記蓋片１１は、前記一対のシート壁部１０ａ，１０ｂのうちの一方のシート壁部１０ａの一端を基端にして延設されており、該基端（後述する第五罫線Ｌ５）で胴部１０の開口側に折り返すことで、該胴部１０の開口を閉塞できるようになっている。
【００５５】
前記位置決片１３は、他方のシート壁部１０ｂの他端を基端にして延設されており、胴部１０内に折り返された態様をなしている。これにより、当該包装体の製造工程において、位置決片１３と該位置決片１３が延設された他方のシート壁部１０ｂとの間に内袋２の一端部を介在させることで、内袋２の一端部が当該位置決片１３に接触して胴部１０に対して適正な配置に位置決めできるようになっている。該位置決片１３は、胴部１０の開口側に傾動した際に、先端が一方のシート壁部１０ａに干渉し、位置決片１３が胴部１０内から抜け出るのを防止することができる程度の延出量に設定されている。
【００５６】
また、本実施形態において、位置決片１３における一部の領域（後述する第二被溶着領域Ｐ２’（図１０参照））が、位置決めされた内袋２の一端部における一部の領域Ｐ２’’（図１１参照）と、他方のシート壁部１０ｂの他端部における一部の領域とに一体的に溶着されており、内袋２を位置決めした位置で保持するとともに、該内袋２の一端側の移動を規制するようになっている。
【００５７】
本実施形態にかかる位置決片１３の領域内には、内袋２と溶着させる領域を含んで基端側から先端側に向けて凸状の舌片２２が形成されている。これにより、舌片２２（位置決片１３の一部）が内袋２と溶着して変形しにくくなっても、位置決片１３における舌片２２以外の領域が変形できる状態となるので、位置決片１３を一方のシート壁部１０ａ側に塑性変形させたり、自己の復元力が有る程度作用するように傾斜させたりすることで、先端を一方のシート壁部１０ａの内面（胴部１０の内面）に干渉させ、一方のシート壁部１０ａから他方のシート壁１０ｂを離間させて当該胴部１０の他端開口を広げることができるようになっている。
【００５８】
前記保持手段１２は、前記蓋片１１の一部が切り込まれ、蓋片１１の先端に向けて凸状に形成された係止片１２ａと、胴部１０（他方のシート壁部１０ｂ）に設けられた切込部１２ｂとで構成されており、係止片１２ａを切込部１２ｂに差し込むことで、蓋片１１を折り返した姿勢で保持できるようになっている。
【００５９】
本実施形態にかかる外装体１は、第一実施形態と同様の材料（樹脂）で構成されたシート（原シート）を折曲加工することにより形成されている。図１０に基づき、本実施形態の外装体１を形成するための原シートについて説明すると、該原シートＳは、略矩形状に形成されて短手方向の一端同士が接続され、前記一対のシート壁部１０ａ、１０ｂとなる一対の壁形成領域１６ａ，１６ｂと、一方の壁形成領域１６ａの短手方向の他端に延設され、一対の壁形成領域１６ａ，１６ｂの一端部同士を連結する貼着領域１７と、一方の壁形成領域１６ａの長手方向の一端に延設され、前記蓋片１１となる蓋形成領域１８と、他方の壁形成領域１６ｂの長手方向の他端に延設され、前記位置決片１３となる位置決片形成領域１９とで構成されている。
【００６０】
前記一対の壁形成領域１６ａ，１６ｂの境界には、これらが互いに対向するように折り返すための折曲罫線Ｌ１（以下、この折曲罫線を第一罫線という）が設けられている。なお、本実施形態においても、第一実施形態と同様に、前記第一罫線Ｌ１、及び以下に説明する折曲罫線Ｌ２〜Ｌ５は、極細の溝で構成されており、他の部分よりも厚みが薄くなるように構成されている。
【００６１】
前記他方の壁形成領域１６ｂには、前記保持手段１２の切込部１２ｂとなる切り込み２６が設けられている。該切り込み２６は、他方の壁形成領域１６ｂの一端（後述する第五罫線Ｌ５）から他端に向けて、一方の壁形成領域１６ａから前記蓋形成領域１８と後述する係止片形成領域２１とが接続された部位（係止片１２ａの付け根部分）までの距離よりもやや長い距離をおいた位置に、当該他方の壁形成領域１６ｂの短手方向に延びるように形成されている。
【００６２】
前記一対の壁形成領域１６ａ，１６ｂは、長手方向の一端側の両角部（壁形成領域１６ａ，１６ｂの長手方向の一端部であって、短手方向の両端部）の一部の領域が内袋２に溶着させる第一被溶着領域Ｐ１’に設定されている。なお、本実施形態にかかる第一被溶着領域Ｐ１’は、第一実施形態の被溶着領域Ｐ’と同様に略円形の領域に設定されている。
【００６３】
該一対の壁形成領域１６ａ，１６ｂのうちの何れか一方の壁形成領域（本実施形態においては他方の壁形成領域１６ｂ）には、前記第一被溶着領域Ｐ１’（内袋２に溶着させる領域）を挟んで壁形成領域１６ｂの短手方向（胴部１０の周方向）に延びる一対の切込部２５ａ，２５ｂ（切り込み）が設けられている。該一対の切込部２５ａ，２５ｂは、各第一被溶着領域Ｐ１’に対して設けられており、第一被溶着領域Ｐ１’が介在する一端部が、該第一被溶着領域Ｐ１’の形状に沿って円弧状に切り込まれて形成されている。
【００６４】
また、一方の壁形成領域１６ａと貼着領域１７との境界、及び他方の壁形成領域１６ｂと位置決片形成領域１９との境界にも折曲罫線Ｌ２，Ｌ３が設けられている。（以下、一方の壁形成領域１６ａと貼着領域１７との境界の折曲罫線Ｌ２を第二罫線といい、他方の壁形成領域１６ｂと位置決片形成領域１９との境界の折曲罫線Ｌ３を第三罫線という）。
【００６５】
前記蓋形成領域１８と一方の壁形成領域１６ａとの境界には、折曲罫線Ｌ５（この折曲罫線を第五罫線という）が設けられており、蓋形成領域１８で蓋片１１を形成した際に、該蓋片１１を第五罫線Ｌ５で折り返せるようになっている。前記蓋形成領域１８は、前記係止片１２ａとなる係止片形成領域２１を含んで形成されている。具体的に説明すると、蓋形成領域１８の一部が略Ｕ字状に切り込まれ、該切り込み２７によって包囲された領域で蓋片形成領域１８の先端側に凸状をなす係止片形成領域２１が形成されている。
【００６６】
前記位置決片形成領域１９の一部の領域は、内袋２の一端部における一部の領域Ｐ２’’（図１１参照）、及び他方の壁形成領域１６ｂ（シート壁部１０ｂ）の他端部における一部の領域Ｐ２’’’と溶着させる第二被溶着領域Ｐ２’に設定されている。なお、本実施形態にかかる第二被溶着領域Ｐ２’は、略矩形状の領域に設定されている。
【００６７】
該位置決片形成領域１９には、第二被溶着領域Ｐ２’を挟んで基端側から先端側に（位置決片形成領域１９の延出方向）延びる一対の切込部２６，２６（切り込み）が設けられている。具体的に説明すると、本実施形態にかかる一対の切込部２６，２６は、位置決片形成領域１９の延出方向に延びる仮想線を基準に互いに対称形状をなしており、当該位置決片形成領域１９の延出方向に略直線状に延びる第一切込２６ａと、位置決片形成領域１９の先端側における前記第一切込２６ａの一端から、前記延出方向と直交する方向で中央に向けて略直線状に延びる第二切込２６ｂとで構成されており、Ｌ字状に形成されている。なお、前記原シートＳにおいて、各切込部２６の第二切込２６ｂ同士が非接続状態となっているが、上述の如く、位置決片形成領域１９が内袋２に溶着された状態で、該位置決片形成領域１９の先端側が内袋２内の被収容物Ａによって押され、非接続状態にある第二切込２６ｂ間が破断し、該切込部２６，２６で包囲されていた領域が前記舌片２２になるとともに、該舌片２２となった領域以外の位置決片形成領域１９が位置決片１３となるようになっている。
【００６８】
前記外装体１は、原シートＳを第一罫線Ｌ１及び第二罫線Ｌ２で折り返した状態で、貼着領域１７を他方の壁形成領域１６ｂの短手方向の他端部とを接着剤、ヒートシール、又は超音波シール等の貼着手段を介して貼着することで胴部１０が形成されている。
【００６９】
また、外装体１は、原シートＳが第三罫線Ｌ３で折り返され、位置決片形成領域１９が胴部１０内に差し込まれた態様となって前記位置決片１３を構成をしている。
【００７０】
前記内袋２は、可撓性を有するフィルムから開封可能な袋体に形成されたものであり、互いに対向する一対の壁フィルム３０ａ，３０ｂの外周端部同士が連結されて構成されている。
【００７１】
具体的には、本実施形態にかかる内袋２は、図１１に示す如く、第一実施形態の内袋２と同様に、平面視略矩形上に形状設定された一対の壁フィルム３０ａ，３０ｂの周縁部同士が熱シールされて袋状に形成されている。本実施形態にかかる内袋２は、前記胴部１０の一端開口部内に内装される領域を含んだ長手方向の他端側の領域において、一対の壁フィルム３０ａ，３０ｂの短手方向の両側端部の熱シールの幅が、長手方向の他端側に向かうにつれて広くなっており、被収容物Ｓを収容する空間となる壁フィルム３０ａ，３０ｂの非溶着（貼着）領域が、長手方向の他端側に向かうにつれて狭くなるように形成されている。
【００７２】
本実施形態にかかる内袋２（一対の壁フィルム３０ａ，３０ｂ）は、長手方向の長さが前記胴部１０の中心線方向（シート壁部１０ａ，１０ｂ）の長手方向の長さよりも長く設定されており、一端側を外装体１の胴部１０に内装した状態で、他端側が胴部１０の一端開口縁部よりも外側に延出し、且つ熱シールの幅が広くなりつつある部分（一部の部分）が胴部１０内に介在するようになっている。該内袋２は、上述の如き態様で胴部１０に内装した状態で、該胴部１０の一端開口縁部近傍となる短手方向の一端部に開封手段としてのノッチ３１が設けられている。本実施形態において、ノッチ３１は、内袋２の短手方向の一端部の一部（内袋２の熱シールされた領域であって、熱シールの幅が広くなるつつある領域の一部）が略Ｖ字型に切り欠かれることにより形成されている。
【００７３】
上記構成の内袋２は、一端側が胴部１０に内装された状態で、長手方向の一端部が胴部１０内に折り返された位置決片１３によって受け止められた態様になっている。この状態で、内袋２は、超音波シールにより、一対のシート壁部１０ａ，１０ｂになった壁形成領域１６ａ，１６ｂの一端側の両角部における一部の領域（第一被溶着領域Ｐ１’）に対し、両側端部の一部の領域Ｐ１’’（本実施形態においては熱シールされた一部の領域）が、一体的に溶着され、当該包装体に第一溶着領域Ｐ１が形成されるている。また、該内袋２は、超音波シールにより、位置決片１３と他方のシート壁部１０ｂとの間に介在した一端部の一部の領域Ｐ２’’が、一対の第二切込部２６，２６間の領域（第二被溶着領域Ｐ２’）と、該領域Ｐ２’に対向する他方のシート壁部１０ｂの一部の領域Ｐ２’’’とに溶着されている。この状態で、内袋２に収容した被収容物Ａの存在により、位置決片１３となった位置決片形成領域１９の先端側が一方のシート壁部１０ａ側に押され、前記第二切込２６ｂ，２６ｂ間が破断し、切込部２６，２６で包囲された領域が前記舌片２２となっている。これにより、位置決片１３には、自己の復元力が作用した状態となり、先端が一方のシート壁部１０ａに接触状態（押圧状態）となっている。
【００７４】
本実施形態にかかる包装体は、以上の構成からなり、蓋片１１を第五罫線Ｌ５で折り返し、切込部１２ｂに係止片１２ａを差し込んだ状態で商品として陳列されることになる。該包装体は、第一実施形態と同様に、自立させても陳列できるが、第一実施形態の包装体のように吊下片１５がない為、他の陳列の態様として、図１２に示す如く、天面が開放した箱Ｘに横積みにもできるようになっている。なお、包装体が起立して陳列される場合には、第一実施形態と同様に、一対のシート壁部１０ａ，１０ｂが互いに離間して胴部１０の他端に拡大した開口が形成されることで自立できるようになる。
【００７５】
そして、当該包装体が携行された場合、被収容物Ａが移動して内袋２に接触したとしても、当該内袋２は可撓性を有するため、当該接触によって被収容物Ａには衝撃力等が作用することがなく、被収容物Ａの破損が防止される。また、該包装体は、何らかの外力が作用しても、内袋２がシートを折曲加工して形成した外装体１に内装されているので、該包装体に加わった外力が吸収され、被収容物Ａの破損が防止される。
【００７６】
そして、被収容物Ａを取り出すべく、内袋２を開封するには、図１３（イ）に示す如く、係止片１２ａを切込部１２ｂから抜いて蓋片１１を起立させた状態にし、ノッチ３１を介して内袋２を引き裂くことで行われる。すなわち、該包装体は、ノッチ３１が、胴部１０の一端開口縁部近傍に設けられているので、内袋２を開封するに際し、内袋２の他端部を胴部１０側に引っ張ることで、ノッチ３１が起因して内袋２が胴部１０の一端に沿って（胴部１０の一端縁が定規の役目を担い）引き裂かれることになる。これにより、図１３（ロ）に示す如く、内袋２には、体裁のよい真っ直ぐな端縁によって扁平状態にある開封口Ｏが形成されることになる。該内袋２は、両側端部の熱シールの幅が他端側ほど広くなるようなっているので、開封により形成された開封口Ｏの幅は、内袋２の内部より狭いものとなっている。
【００７７】
そして、図１３（ハ）に示す如く、胴部１０の側端（一対のシート壁部１０ａ，１０ｂ同士の両側の接続部分）を把持し、胴部１０の径方向に外力を作用させると、扁平状態にあった胴部１０の一端開口、及び内袋２の開封口Ｏが大きく開くことになる。この際、他方のシート壁部１０ｂは、切込部２５ａ，２５ｂ間に位置する領域（第一溶着領域Ｐ１が介在する領域と、該領域以外の領域とが胴部１０の周方向において異なった変形をすることになり、胴部１０に大きな力を生じさせることなく、胴部１０の一端開口及び内袋２の開封口Ｏを開くことができる。
【００７８】
そうすると、内袋２の開封口Ｏ近傍には、略円錐台状の開放空間が形成されることになるので、包装体を寝かせることで、内袋２内の被収容物Ａが開封口Ｏに集まってきた状態で被収容物Ａを取り出すことができる。
【００７９】
そして、被収容物Ａを取り出した後に、図１３（ニ）に示す如く、第五罫線Ｌ５で蓋片１１を折り返し、係止片１２ａを切込部１２ｂに差し込むことで、当該包装体が再封されることになる。一旦開封された包装体は、内袋２の開封口が胴部１０の一端開口縁部に沿って形成されているので、上述の如く再封された状態で、内袋２の開封口が蓋片１１と一方のシート壁部１０ａとの接続部分、及びその近傍の領域（第五罫線Ｌ５を含む所定の領域）により覆われた態様となっており、被収容物Ａのこぼれ落ちが確実に防止されることになる。
【００８０】
そして、内袋２内の被収容物Ａの量が減ると、一対のシート壁部１０ａ，１０ｂは、自己の弾性によって互いに接近しようとするが、当該包装体には、位置決片１３が設けられているため、図１４に示す如く、位置決片１３の弾性（折り返しによる復元力）によって一対のシート壁部１０ａ，１０ｂの接近が阻止され、胴部１０の他端部（下端部）が開口状態を維持されることになり、開封後であっても当該包装体を自立させることができる。
【００８１】
以上のように、本実施形態にかかる包装体によれば、被収容物Ａを収容する内袋２を可撓性を有するフィルムで形成するとともに、シートを折曲加工して形成した外装体１に前記内袋２を内装するようにしたので、携行時に被収容物Ａが破損してしまうのを確実に防止することができる。
【００８２】
また、該包装体は、胴部１０の一端開口縁部近傍に内袋２を開封するノッチ３１を設けたので、内袋２を開封するに当たり、胴部１０の一端開口縁に沿って容易に開封することができる。また、このようにすることで、開封時に内袋２の引き裂き方向を一定方向にすることができ、開封後の内袋２の開封口Ｏを体裁よく形成することができる。
【００８３】
さらに、該包装体は、一対のシート壁部１０ａ，１０ｂの長手方向の一端部であって、短手方向の両端部の一部（第一被溶着領域Ｐ１’）同士を、内袋２の一部を介して貼着するようにしたので、内袋２が胴部１０から抜け出るのを防止することができる。その上、第一溶着領域Ｐ１を挟んで胴部１０の周方向に延びる一対の切込部ｂを設けたので、大きな把持力を作用させることなく、胴部１０を変形させることができ、内袋２の開封口Ｏを容易に開口状態にすることができる。
【００８４】
該包装体は、位置決片１３が設けられているので、胴部１０に対して位置決めを容易に行うことができる。また、該位置決片１３を設けることで、内袋２を胴部１０内に内装するに際し、内袋２の一端が胴部１０の他端にまで到達することがないので、一対のシート壁部１０ａ，１０ｂの他端部側の角部を丸くしても（角を落とした形状にしても）内袋２の一端側の角部が胴部１０から突出することがなく、見栄えをよくすることができる。その上、位置決片１３の形成領域内に舌片２２を形成し、内袋２と舌片２２と他方のシート壁部１０ｂとを溶着するようにしたので、胴部１０に対して位置決めされた内袋２の一端部をその状態で固定することができる。
【００８５】
該包装体は、原シートＳを折曲加工して位置決片１３を形成するようにしたので、内袋２内における被収容物Ａの収容量に関係なく、胴部１０の下端部を開口状態にすることができ、陳列時や開封後の何れであっても当該包装体を自立させて置くことができる。
【００８６】
さらに、内袋２の他端側における両側端部の熱シールの幅を、他端に向けるにつれて広くするようにした（他端側ほど非貼着領域が狭くなるようにした）ので、被収容物Ａを容易に取り出すことができる。
【００８７】
尚、本発明の包装体は、上記第一及び第二実施形態に限定されるものではなく、本発明の要旨を逸脱しない範囲内において種々変更を加え得ることは勿論である。
【００８８】
上記第一実施形態において、一対の壁フィルム３０ａ，３０ｂの周縁部を略均等な幅で熱シールして内袋２を形成するようにしたが、これに限定されるものではなく、例えば、第二実施形態と同様に、他端側ほど熱シールの幅を広くするようにしても勿論よい。また、平面視台形状、或いは三角形状を呈する一対の壁フィルム３０ａ，３０ｂを重ね合わせ、該壁フィルム３０ａ，３０ｂの周縁部同士を略均等な幅で熱シールして内袋２を形成するとともに、先細りした部分を胴部１０の一端開口縁部から延出させるように内袋２を胴部１０に内装するようにし、内袋２に対して胴部１０の一端開口縁部近傍にノッチ（開封手段）を設けるようにしてもよい。このようにしても、開封手段を介して内袋２を開封すると、内袋２に形成された開封口が内部よりも狭くなり、被収容物Ａを安定して取り出すことができる。
【００８９】
また、上記第二実施形態において、一対の壁フィルム３０ａ，３０ｂの他端側の両側端部を、他端に向かうにつれて熱シールの幅が広くなるようにして内袋２を形成するようにしたが、これに限定されるものではなく、例えば、第一実施形態と同様に、一対の壁フィルム３０ａ，３０ｂの周縁部を均等な幅で熱シールして内袋２を形成するようにしてもよい。
【００９０】
上記第二実施形態において、他方のシート壁部１０ｂ（他方の壁形成領域１６ｂ）に第一被溶着領域Ｐ１’を挟んで一対の切込部２５ａ，２５ｂを設けたが、これに限定されるものではなく、第一実施形態と同様に、一対のシート壁部１０ａ，１０ｂ、及び内袋２の一部同士を溶着するようにしただけでも勿論よい。
【００９１】
上記第二実施形態において、胴部１０に対して内袋２を第一溶着領域Ｐ１、及び第二溶着領域Ｐ２で溶着させるようにしたが、これに限定されるものではなく、胴部１０からの内袋２の抜け落ちを防止するには、第一実施形態と同様に第一溶着領域Ｐ１のみで外装体１と内袋２とを溶着したり、第二溶着領域Ｐ２のみで外装体１と内袋２とを溶着したりしてもよい。
【００９２】
上記第二実施形態において、位置決片１３の一部を切り込み、該位置決片１３の形成領域内に舌片２２が形成されるように構成したが、これに限定されるものではなく、第一実施形態と同様に、単に位置決片１３のみ形成するようにしてもよい。
【００９３】
上記第一、及び第二実施形態において、内袋２に設けた開封手段を、Ｖ字型の切り欠きでノッチ３１で構成するようにしたが、これに限定されるものではなく、例えば、開封手段は、略Ｉ字型の切り込みからなるノッチや、ハーフカット等で構成するようにしてもよい。
【００９４】
上記第一、及び第二実施形態において、蓋片１１を折り返し状態で保持させる保持手段１２として、蓋片１１の延出方向に凸状に形成された係止片１２ａと、該係止片１２ｂを差し込むべく、胴部１０（他方のシート壁部１０ｂ）に切り込まれた切込部１２ｂとで構成したが、これに限定されるものではなく、例えば、係止片を蓋片１１の先端から基端に向けて延設（第一、及び第二実施形態とは反対側に延設）し、該係止片を前記切込部１２ｂに差し込むように構成してもよい。また、保持手段は、例えば、雄雌一対のホックボタンや、雄雌一対の面ファスナー等で構成し、雄雌の何れか一方を蓋片１１に取り付け、他方を胴部１０に取り付けるようにしてもよい。
【００９５】
上記第一、及び第二実施形態において、一対のシート壁部１０ａ，１０ｂの両側端部同士を接続して胴部１０を扁平状に形成するようにしたが、これに限定されるものではなく、例えば、シートを折り曲げ加工して胴部１０を角筒状に形成するようにしてもよい。具体的には、図１５に示す如く、シートを折り曲げ加工して四つのシート壁部１０ａ，１０ｂ，１０ｃ，１０ｃからなる角筒状の胴部１０と、何れか一つの壁面１０ａの一端を基端にして延設され、胴部１０の一端開口を閉塞する蓋片１１とを備えた外装体１を形成するようにしてもよい。ただし、この形態の外装体１において、蓋片１１の折り返し（当該包装体の再封性）を考慮すれば、四つのシート壁部１０ａ，１０ｂ，１０ｃ，１０ｃのうち、互いに対向する一対のシート壁部１０ａ，１０ｂを他のシート壁部１０ｃ、１０ｃよりも胴部１０の中心線方向の長さを長くして一対のシート壁部１０ａ，１０ｂの一端部で突片を形成した態様で胴部１０を形成するとともに、該一方のシート壁部１０ａの一端（突片状をなす先端）を基端にして前記蓋片１１を延設することが好ましい。この場合においても、胴部１０の一端開口近傍、すなわち、突片状となる先端近傍となる内袋２の側端部に開封手段を設けることで、該胴部１０の一端開口縁（他方のシート壁部１０ｂの一端縁）に沿って内袋２を開封することができる。また、一対のシート壁部１０ａ，１０ｂの一端側の角部（突片状をなす先端側の両角部）の一部と、該胴部１０に内装した内袋２の両側端部の一部の領域とを溶着した溶着領域Ｐを形成して内袋２の抜け止めを図るようにしてもよい。さらに、上記第二実施形態と同様に、何れか一方のシート壁部１０ａ，１０ｂに貼着領域Ｐを挟んで胴部１０の周方向に延びる一対の切込部（図示しない）を設けるようにしてもよい。そして、上記第一、及び第二実施形態と同様に、蓋片１１の延設されたシート壁部１０ａと対向する他方のシート壁部１０ｂの他端を基端にして延設されて胴部１０内に折り返された位置決片１３を設けるようにしたり、四つのシート壁部１０ａ，１０ｂ，１０ｃ，１０ｃで形成された胴部１０の他端開口を閉塞する底部（底片）を設けたりしてもよい。
【００９６】
上記第一、及び第二実施形態において、胴部１０を構成する一方のシート壁部１０ａの一端を基端にして蓋片１１を延設するようにしたが、これに限定されるものではなく、例えば他方のシート壁部１０ｂの一端を基端にして蓋片１１を延設するようにしてもよい。すなわち、蓋片１１を位置決片１３の延設された他方のシート壁部１０ｂに延設するようにしてもよい。
【００９７】
上記第一、及び第二実施形態において、外装体１と内袋２との貼着（溶着領域Ｐ、第一溶着領域Ｐ１、及び第二溶着領域Ｐ２の貼着）を超音波シールによる溶着で行うようにしたが、これに限定されるものではなく、例えば、単なる熱シールを行ったり、接着剤や粘着テープを介して行ったりするようにしてもよい。
【００９８】
上記第一、及び第二実施形態において、外装体１に位置決片１３を設け、製造時において内袋２を胴部１０に対して位置決めを行い、製品として完成した際に内袋２の抜け落ち防止を確実に行えるようにしたが、これに限定されるものではなく、例えば、外装体１を胴部１０と蓋片１１とで構成するようにしてもよい。この場合、内袋２の抜け落ちを防止すべく、内袋２と胴部１０とを貼着するようにしたり、胴部１０の他端開口を完全に閉塞するようにすることが好ましい。
【００９９】
また、上記第一、及び第二実施形態において、外装体１と内袋２とを貼着し、胴部１０からの内袋２の抜け落ちを防止するようにしたが、これに限定されるものではなく、単に内袋２を胴部１０内に内装しただけであっても勿論よい。この場合、上記第一、及び第二実施形態と同様に、外装体１には位置決片１３を設けたり、胴部１０の他端開口を閉塞したりするようにすれば、外装体１を起立状態で配置しても胴部１０から内袋２が抜け落ちることを防止することができる。
【図面の簡単な説明】
【０１００】
【図１】本発明の第一実施形態にかかる包装体の全体斜視図を示す。
【図２】第一実施形態にかかる包装体の縦断面図を示す。
【図３】第一実施形態にかかる外装体を展開した原シートの平面図を示す。
【図４】第一実施形態にかかる内袋の平面図を示す。
【図５】第一実施形態にかかる包装体を陳列した状態の斜視図を示す。
【図６】第一実施形態にかかる包装体の開封工程を説明するための斜視図であって、(イ)は、内袋を開封する際の状態を示し、（ロ）は、内袋が開封された状態を示す、（ハ）は、被収容物を取り出す際の状態を示し、（二）は、包装体を再封した状態を示す。
【図７】第一実施形態同実施形態にかかる外装体の縦断面図であって、被収容物が減少した状態で蓋体を閉じた状態を示す。
【図８】本発明の第二実施形態にかかる包装体の全体斜視図を示す。
【図９】第二実施形態にかかる包装体の縦断面図を示す。
【図１０】第二実施形態にかかる外装体を展開した原シートの平面図を示す。
【図１１】第二実施形態にかかる内袋の平面図を示す。
【図１２】第二実施形態にかかる包装体を陳列した状態の斜視図を示す。
【図１３】第二実施形態にかかる包装体の開封工程を説明するための斜視図であって、(イ)は、内袋を開封する際の状態を示し、（ロ）は、内袋が開封された状態を示す、（ハ）は、被収容物を取り出す際の状態を示し、（二）は、包装体を再封した状態を示す。
【図１４】第二実施形態にかかる外装体の縦断面図であって、被収容物が減少した状態で蓋体を閉じた状態を示す。
【図１５】本発明の他実施形態にかかる外装体の全体斜視図を示す。
【符号の説明】
【０１０１】
１…外装体、２…内袋、１０…胴部、１０ａ，１０ｂ…シート壁部、１１…蓋片、１２…保持手段、１３…位置決片、３０ａ，３０ｂ…壁フィルム（フィルム）、３１…ノッチ、Ａ…被収容物、  Ｓ…原シート（シート）
【図１】
2005212808.tif 000003
【図２】
2005212808.tif 000004
【図３】
2005212808.tif 000005
【図４】
2005212808.tif 000006
【図５】
2005212808.tif 000007
【図６】
2005212808.tif 000008
【図７】
2005212808.tif 000009
【図８】
2005212808.tif 000010
【図９】
2005212808.tif 000011
【図１０】
2005212808.tif 000012
【図１１】
2005212808.tif 000013
【図１２】
2005212808.tif 000014
【図１３】
2005212808.tif 000015
【図１４】
2005212808.tif 000016
【図１５】
2005212808.tif 000017